(57)【要約】      （修正有）【課題】不完全なＲＦＩＤタグの流出防止機能、及び不完全なＲＦＩＤタグの使用防止機能を持ったＲＦＩＤ書込み機能付き印刷装置、及び印刷制御システム、及び印刷制御プログラムを提供する。【解決手段】記録媒体表面への印字、又はＲＦＩＤタグへの書込みに失敗した場合に、特殊処理を施し、且つ失敗の記録をデータベースに登録する。【選択図】図４
2006035830.tif 000002
【特許請求の範囲】
【請求項１】
アンテナと電子回路からなる無線通信素子を取付けた記録媒体に画像を記録する画像記録手段と、
前記無線通信素子に情報を書き込む情報書き込み手段を具備する記録装置において、
記録媒体への画像記録、又は無線通信素子への情報の書き込みに失敗した場合、特殊処理を施す手段を有することを特徴とする記録装置。
【請求項２】
前記特殊処理とは、データベース（ホストＰＣ）に該当データの無効登録を指示することを特徴とする請求項１記載の記録装置。
【請求項３】
前記特殊処理とは、ＲＦＩＤタグの書き込みデータをクリアすることを特徴とする請求項１記載の記録装置。
【請求項４】
前記特殊処理とは、記録媒体表面に無効印字することを特徴とする請求項１記載の記録装置。
【請求項５】
前記特殊処理とは、記録媒体を物理的に変形させることを特徴とする請求項１記載の記録装置。
【請求項６】
アンテナと電子回路からなるＲＦＩＤタグを取付けた記録媒体に画像を記録する画像記録手段と、
記録媒体に取付けられたＲＦＩＤタグと通信を行い、情報を書き込む情報書き込み手段を具備する記録装置において、
記録媒体への記録、又はＲＦＩＤタグへの書き込みに失敗した場合に、特殊処理を施す手段を有することを特徴とするＲＦＩＤタグ記録機能搭載の印刷制御システム。
【請求項７】
前記特殊処理が、データベース（ホストＰＣ）に該当データの無効登録を行うことを特徴とする請求項６記載のＲＦＩＤタグ記録機能搭載の印刷制御システム。
【請求項８】
前記特殊処理が、ＲＦＩＤタグの書込みデータをクリアすることを特徴とする請求項６記載のＲＦＩＤタグ記録機能搭載の印刷制御システム。
【請求項９】
前記特殊処理が、記録媒体表面に無効印字することを特徴とする請求項６記載のＲＦＩＤタグ記録機能搭載の印刷制御システム。
【請求項１０】
前記特殊処理が、カッター等により記録媒体を物理的に変形させることを特徴とする請求項６記載のＲＦＩＤタグ記録機能搭載の印刷制御システム。
【請求項１１】
アンテナと電子回路からなり、非接触により情報を記録するＲＦＩＤタグを取付けた記録媒体の表面に情報を印刷する手段と、
記録媒体に取付けられたＲＦＩＤタグと通信を行い、情報を書込む手段を具備する印刷装置において、
記録媒体表面への印字、又はＲＦＩＤタグへの書込みに失敗した場合に、特殊処理を施す手段を有することを特徴とするＲＦＩＤタグ記録機能搭載の印刷制御プログラム。
【請求項１２】
前記特殊処理が、データベース（ホストＰＣ）に該当データの無効登録を行うことを特徴とする請求項１１記載のＲＦＩＤタグ記録機能搭載の印刷制御プログラム。
【請求項１３】
前記特殊処理が、ＲＦＩＤタグの書込みデータをクリアすることを特徴とする請求項１１記載のＲＦＩＤタグ記録機能搭載の印刷制御プログラム。
【請求項１４】
前記特殊処理は、記録媒体表面に無効印字することを特徴とする請求項１１記載のＲＦＩＤタグ記録機能搭載の印刷制御プログラム。
【請求項１５】
前記特殊処理は、記録媒体を物理的に変形させることを特徴とする請求項１１記載のＲＦＩＤタグ記録機能搭載の印刷制御プログラム。
【発明の詳細な説明】
【技術分野】
【０００１】
本発明は、ＲＦＩＤタグを内蔵する記録媒体と通信を行うＲＦＩＤ記録機能搭載の印刷装置、印刷制御システム、印刷制御プログラムに関する。
【背景技術】
【０００２】
近年、半導体技術及び電子通信技術の発達により、非接触で情報を送受信可能なＲＦＩＤ（Radio Frequency IDentification）と呼ばれる自動認識システムが開発されている。
【０００３】
このＲＦＩＤシステムは、電子回路を搭載し情報を保持するＲＦＩＤタグとＲＦＩＤタグをコントロールするＲＦＩＤリーダ／ライタとから構成される。
【０００４】
ＲＦＩＤシステムの特徴として、データの新規書込み及び追記、複数のＲＦＩＤタグとの同時通信、障害物等の影響を受けにくいなどが挙げられる。これらはバーコードや二次元コードなどの自動認識システムには無い機能を持っている。その利便性から、これまでバーコードや二次元コードでは自動化が困難であった分野だけではなく、従来の自動認識システムで自動化が行われていた物流・流通分野においても注目されている。
【０００５】
カードやラベルなどの媒体に搭載し、前記システムで使用するＲＦＩＤタグは、媒体表面の印刷とＲＦＩＤタグへの情報の書込みを行う必要があるが、近年は、これらの作業を別々の装置で分担するのではなく、印刷装置にＲＦＩＤタグの記録機能を搭載し、媒体表面の印刷と、ＲＦＩＤタグに情報を記録するのを一括して行うＲＦＩＤタグ記録機能付き印刷装置を使用する。
【０００６】
ＲＦＩＤタグにはアンテナのサイズの違いや、使用されているＩＣチップの違いなど、多数の種類が存在し、それぞれ、メモリの記憶容量、通信可能範囲や通信時間が異なる。一般的なＲＦＩＤタグ記録機能付き印刷装置では、これら異なるタイプのＲＦＩＤタグに対応している。
【０００７】
また、近年のＲＦＩＤタグ記録機能付き印刷装置では、スループットに対する市場要望を満足する為に、記録媒体表面への印刷と同時にＲＦＩＤタグへの書込みを行っている。
【０００８】
特に、複数のラインヘッドを持つカラー印刷装置では、ラインヘッドを記録媒体の搬送方向に複数並べて配置されており、使用する記録媒体のサイズによっては複数の記録媒体に対して同時に印刷を行うだけでなく、さらにＲＦＩＤタグへの書込みも同時に実行し、スループットを向上させている。
【０００９】
一方、記録媒体表面への印刷、又はＲＦＩＤタグへの書込みに失敗した場合には、エラーを発生させ、ＲＦＩＤタグへの書込みに失敗した媒体に対しては、記録媒体表面への印刷を行わないシステムや、記録媒体表面にＲＦＩＤ書込みエラーを意味する印刷を施すシステムも考案されている。
（例えば特許文献1）
【００１０】
【特許文献１】特開２００３−１５０９１４（３〜４ページ、図４）
【発明の開示】
【発明が解決しようとする課題】
【００１１】
しかしながら、上記従来例のシステムでは、記録媒体表面への印刷、又はＲＦＩＤタグへの書込みに失敗した記録がデータベースに残らない為、不完全に書込まれた不正なＲＦＩＤタグが流出する可能性を回避できない、また流出してしまった不完全なＲＦＩＤタグの使用を防止できないことがあった。
【００１２】
本発明は、不完全なＲＦＩＤタグの流出防止機能、及び不完全なＲＦＩＤタグの使用防止機能を持ったＲＦＩＤ書込み機能付き印刷装置、及び印刷制御システム、及び印刷制御プログラムの提供を目的とする。
【課題を解決するための手段】
【００１３】
本発明によるＲＦＩＤタグ記録機能付き印刷装置は上記の問題を解決するため、下記の記録装置、印刷制御システム、印刷制御プログラムを実施した。
【００１４】
即ち、
アンテナと電子回路からなる無線通信素子を取付けた記録媒体に画像を記録する画像記録手段と、
前記無線通信素子に情報を書き込む情報書き込み手段を具備する記録装置、印刷制御システム、又は印刷制御プログラムにおいて、
記録媒体への画像記録、又は無線通信素子への情報の書き込みに失敗した場合、特殊処理を施す手段を有することを特徴とする。
【００１５】
又本発明の印刷制御システム、又は印刷制御プログラムによる前記特殊処理とは、データベース（ホストＰＣ）に該当データの無効登録を指示することを特徴とする。
【００１６】
又本発明の印刷制御システム、又は印刷制御プログラムによる前記特殊処理とは、ＲＦＩＤタグの書き込みデータをクリアすることを特徴とする。
【００１７】
又本発明の印刷制御システム、又は印刷制御プログラムによる前記特殊処理とは、記録媒体に無効印字することを特徴とする。
【００１８】
又本発明の印刷制御システム、又は印刷制御プログラムによる前記特殊処理とは、記録媒体を物理的に変形させることを特徴とする。
【発明の効果】
【００１９】
上記構成によれば、不正なＲＦＩＤタグの流出防止機能、及び不正なＲＦＩＤタグの不正使用防止機能を持ったＲＦＩＤ書込み機能付き印刷装置、及び印刷制御システム、及び印刷制御プログラムの提供が可能となる。
【発明を実施するための最良の形態】
【００２０】
以下、図面を参照して本発明の実施例について詳細に説明する。
【第１の実施例】
【００２１】
図１は本実施例で使用する印刷装置にホストコンピュータを接続した印刷システムを示す構成図である。
【００２２】
本印刷装置としては、長尺のラインヘッドを用いたインクジェット方式によるカラーカード印刷装置を用いている。
印刷装置１０１とホストコンピュータ１００とは、プリンタケーブル１０７で接続され、ホストコンピュータ１００にて処理された各種データを印刷装置１０１にて記録するとともに、印刷装置１０１のエラー情報などのプリンタステータスをホストコンピュータ１００で検知出来るように構成されている。印刷装置１０１は、後述のラインヘッドやＲＦＩＤ用通信アンテナ、及び搬送部を開閉するための上部カバー１０３と、後述のラインヘッドに供給される吐出媒体としての液体インクを貯蓄するタンク部を開閉するための前カバー１０４と、後述の給紙トレイ１０２に積載された記録媒体を記録部１０８に給送する給紙部１０９と、記録部１０８から搬送される記録媒体を格納する排紙部１１０から外郭が構成されている。１０５は印刷装置の電源スイッチ、１０６は印刷装置における操作環境の設定を行うための入力手段、及び画像印刷装置のエラー発生状況をユーザに知らせる手段としての操作パネルであり、ＬＥＤ１１１、ＬＣＤ１１２、ボタン１１３から構成される。
【００２３】
図２は本実施例の印刷装置１０１が使用する記録媒体としてのＲＦＩＤタグ内蔵カード２０１の模式図である。
【００２４】
ＲＦＩＤタグ２０５は電子情報を記憶するための不揮発性メモリを搭載したＩＣチップ２０３とループアンテナ２０２から構成され、紙、もしくはＰＥＴ樹脂のフィルム２０４に覆われている。ＲＦＩＤタグ内蔵カード２０１は電源を持たず、印刷装置１０１に配設する後述のＲＦＩＤ用通信アンテナから受信する高周波電力によって内部電源を生成し、ＲＦＩＤタグ２０５に電子情報の書き込みを行うことができる。
【００２５】
図３は、図１に示した印刷装置１０１の概略構成を示す断面図であり、図４は図１に示した印刷装置１０１のインクジェット記録ヘッド及びＲＦＩＤ用通信アンテナ３０３の配列を模式的に説明する斜視図である。
【００２６】
ラインヘッドの下側に位置する搬送部３０２では、給紙トレイ１０２に積載されたＲＦＩＤタグ内蔵カード２０１が後述する給送方法でラインヘッド３０５による記録位置に向けて１００ｍｍ/ｓｅｃの速度で搬送されると、ＴＯＦセンサ３０４によりその位置が管理され、ＲＦＩＤ用通信アンテナ３０３の通信位置に搬送されると、ＲＦＩＤ用通信アンテナ３０３を介して内蔵されたＲＦＩＤタグ２０５に電子情報の書き込みが開始される。続いて、印刷位置に達すると各記録ヘッド（３０６Ｂｋ、３０６Ｃ、３０６ＬＣ、３０６Ｍ、３０６ＬＭ、３０６Ｙ）によってインクが吐出され、ＲＦＩＤタグ内蔵カード２０１上に画像が印刷され、最終的に排紙部１１０に搬出されるように構成されている。この搬送部３０２の下には、各記録ヘッド（３０６Ｂｋ、３０６Ｃ、３０６ＬＣ、３０６Ｍ、３０６ＬＭ、３０６Ｙ）に供給される専用のインクを貯蓄するタンク部３０１が着脱自在に固定されている。
【００２７】
図５は、本実施例で使用するホストコンピュータから送信される制御コマンドの構造を示した図である。
【００２８】
制御コマンドとしては、印刷する用紙のサイズ等を設定する用紙設定コマンド５０１、記録データの基準となる設定が存在するフォーマットコマンド５０２、文字、イメージ、ＲＦＩＤの詳細情報を設定するデータコマンド（５０３、５０４、５０５）、印刷データの終了を示しジョブを開始するジョブ開始コマンド５１０が存在し、それらのコマンドを記録コマンド転送例５１１の様に出力する。ＲＦＩＤタグのＩＣチップ２０３の種類は５０６に、ＲＦＩＤタグサイズは５０７に、書込みデータ量は５０８に、書込みデータは５０９により指定される。
【００２９】
図６は本実施例で使用する印刷装置の電気的ブロック図である。
【００３０】
６０１は印刷装置全体を制御するメインコントローラであり、後述する入力データを格納する格納手段としての機能、及びデータ制御手段及び、設定手段をとしての機能などを有する。このメインコントローラはホストコンピュータ１００に接続され、互いに信号の授受を行い得るようになっている。６０２はメインコントローラに接続され、図8〜10にて後述するフローに対応する制御プログラムが格納されているＲＯＭであり、それらのプログラムに従いメインコントローラ６０１はＲＡＭ６１２を使用して動作する。またＲＡＭ６１２には前記ホストコンピュータ１００から転送されＲＦＩＤタグ２０５に書き込むデータが一時的に格納され、前記メインコントローラ６０１に接続されたＲＦＩＤ通信回路６０９がＲＦＩＤ用通信アンテナ６１０を通して、前記ＲＡＭ６１２に格納されたデータをＲＦＩＤタグに書き込む。６０６は前記ホストコンピュータ１００から送信されてきた画像データを格納するイメージバッファ（記録データ格納手段）であり、６０６Ｂｋはブラックの画像データを一時的に格納するブラックイメージバッファ、同様に６０６Ｃ、６０６ＬＣ、６０６Ｍ、６０６ＬＭ、６０６Ｙはシアン、マゼンタ、淡マゼンタ、シアン、淡シアン、イエローの画像データを一時的に格納するイメージバッファである。６０３は前記各色の記録ヘッドに内蔵される発熱体（不図示）を駆動させる駆動回路であり、前記メインコントローラ６０１に接続されたドライバコントローラ６０７が、前記イメージバッファに格納された各色のビットマップ形式で記録された画像データに従ってヘッド駆動回路６０３を制御することで画像を印刷する。６０４Ｄは搬送部に設けられたフィードモータ６０４を駆動するモータドライバ、６００は給紙部の給紙トレイ１０２を昇降させるリフトモータ６０５及び、記録媒体を給送するピックアップモータ６０８を駆動する駆動回路であり、いずれもメインコントローラ６０１によって制御される。
【００３１】
図７は本実施例で使用するデータベースで登録管理される情報の構成図を示す。
【００３２】
ホストコンピュータ１００のデータベースで管理されているレコード番号７０１、発効日７０２、ＩＤ番号７０３、氏名７０４、性別７０５、年齢７０６、セキュリティコード７０７が、書き込みデータ５０９として印刷装置１０１に送信され、後述するタイミングでＲＦＩＤタグのＩＣチップ２０３に書き込みが行なわれる。
また、有効／無効７１１は、該当するタグの表面への印字及びＲＦＩＤタグへの書き込みの成否を登録管理している。図７では、データ７１２（レコード番号１０４）が無効（欠番）であり、別途、データ７１３として再発行されていることを示している。
【００３３】
図８は本実施例の印刷装置を説明するためのフローチャートである。
【００３４】
印刷枚数や用紙サイズ、ＩＣチップ２０３の種類、などの各種パラメータと、印刷を行う画像情報、およびＩＣチップ２０３に記録させる情報は、印刷を指示するコマンドと共にホストコンピュータ１００から印刷装置１０１に送信され、印刷画像情報はイメージバッファ（６０６Ｂｋ〜６０６Ｙ）に、電子情報はＲＡＭ６１２上に記録される（Ｓ８０１）。
【００３５】
受信した印刷コマンドの解析が終了したら、記録媒体の搬送を開始する（Ｓ８０２）。搬送開始後、記録媒体がＲＦＩＤ用通信アンテナ３０３の通信位置に搬送されると、ＲＦＩＤ用通信アンテナ３０３を介して内蔵されたＲＦＩＤタグ２０５に電子情報の書き込みが開始される（Ｓ８０３）。ＲＦＩＤタグへの電子情報の書き込み終了後、書き込みが正常に終了したかを判定し（Ｓ８０４）、正常終了しなかった場合には、記録媒体表面への印字を行わず、ＲＡＭ６１２にタグの“無効”（Ｓ８０８）を設定する。
【００３６】
ＲＦＩＤタグへの電子情報の書き込みが正常終了した場合は、記録媒体が印刷位置に達した時点で、各記録ヘッド（Ｂｋ、Ｃ、ＬＣ、Ｍ、ＬＭ、Ｙ）を順次駆動し、ＲＦＩＤタグ内蔵カード２０１上に画像が印刷される（Ｓ８０５）。この時、記録媒体表面への印刷が終了するまでの間に、用紙詰まり等のエラーが発生する事無く印刷が正常に終了したかを判定し（Ｓ８０６）、正常終了した場合には、タグの“有効”（Ｓ８０７）を、正常終了しなかった場合には、タグの“無効”（Ｓ８０８）をＲＡＭ６１２に設定する。
記録媒体を排紙部１１０に搬出したら、搬送を停止し（Ｓ８０９）、タグの“有効”（Ｓ８０７）、又は“無効”（Ｓ８０８）をホストコンピュータ１００へ通知する。
ホストコンピュータは、データベースの有効／無効（７１１）に、タグの“有効”（Ｓ８０７）、又は“無効”（Ｓ８０８）を登録する（Ｓ８１０）。
【００３７】
このように、第一の実施例では、印刷装置における表面印字及びＲＦＩＤタグへの書き込み結果を、ホストコンピュータに通知する手段を設けることで、ＲＦＩＤタグのチップへの書き込み失敗やＲＦＩＤタグの表面への印字が失敗した場合には、該当する番号のＲＦＩＤタグをデータベース上で無効登録することが出来る。これにより運用面において、不完全なＲＦＩＤタグが流出した場合でも、データベース上で有効・無効管理が可能となり、タグの不正使用や重複発行による現場の混乱等を回避できる。
【第２の実施例】
【００３８】
第１の実施例において、ＲＦＩＤタグへの電子情報の書き込みが正常終了しなかった場合の処理を、記録媒体表面へ“無効印字”を行うことで、本発明の目的が、より効果的に実施できる。
【００３９】
図９は本実施例の印刷装置を説明するためのフローチャートである。
【００４０】
印刷枚数や用紙サイズ、ＩＣチップ２０３の種類、などの各種パラメータと、印刷を行う画像情報、およびＩＣチップ２０３に記録させる情報は、印刷を指示するコマンドと共にホストコンピュータ１００から印刷装置１０１に送信され、印刷画像情報はイメージバッファ（６０６Ｂｋ〜６０６Ｙ）に、電子情報はＲＡＭ６１２上に記録される（Ｓ９０１）。
【００４１】
受信した印刷コマンドの解析が終了したら、記録媒体の搬送を開始する（Ｓ９０２）。搬送開始後、記録媒体がＲＦＩＤ用通信アンテナ３０３の通信位置に搬送されると、ＲＦＩＤ用通信アンテナ３０３を介して内蔵されたＲＦＩＤタグ２０５に電子情報の書き込みが開始される（Ｓ９０３）。ＲＦＩＤタグへの電子情報の書き込み終了後、書き込みが正常に終了したかを判定し（Ｓ９０４）、正常終了しなかった場合には、記録媒体表面に対して、正規の印字を行わず、“視覚的に無効なタグであると判断できるパターン（第１１図）”を印字する（Ｓ９０６）。また、ホストコンピュータ１００へ通知用のＲＡＭ６１２にタグの“無効”（Ｓ９０９）を設定する。
【００４２】
ＲＦＩＤタグへの電子情報の書き込みが正常終了した場合は、記録媒体が印刷位置に達した時点で、各記録ヘッド（Ｂｋ、Ｃ、ＬＣ、Ｍ、ＬＭ、Ｙ）を順次駆動し、ＲＦＩＤタグ内蔵カード２０１上に画像が印刷される（Ｓ９０５）。この時、記録媒体表面への印刷が終了するまでの間に、用紙詰まり等のエラーが発生する事無く印刷が正常に終了したかを判定し（Ｓ９０７）、正常終了した場合には、タグの“有効”（Ｓ９０８）を、正常終了しなかった場合には、タグの“無効”（Ｓ９０９）をＲＡＭ６１２に設定する。
【００４３】
記録媒体を排紙部１１０に搬出したら、搬送を停止し（Ｓ９１０）、タグの“有効”（Ｓ９０８）、又は“無効”（Ｓ９０９）をホストコンピュータ１００へ通知する。
ホストコンピュータは、データベースの有効／無効（７１１）に、タグの“有効”（Ｓ９０８）、又は“無効”（Ｓ９０９）を登録する（Ｓ９１１）。
【００４４】
このように、第二の実施例では、印刷装置における表面印字及びＲＦＩＤタグへの書き込み結果を、ホストコンピュータに通知する手段を設けることで、ＲＦＩＤタグのチップへの書き込み失敗やＲＦＩＤタグの表面への印字が失敗した場合には、該当する番号のＲＦＩＤタグをデータベース上で無効登録することが出来る。これにより運用面において、不完全なＲＦＩＤタグが流出した場合でも、データベース上で有効・無効管理が可能となり、タグの不正使用や重複発行による現場の混乱等を回避できる。
また、ＥＦＩＤタグへの書き込みが失敗した場合に、記録媒体表面へ“無効なデータを印字”することで、不完全なＲＦＩＤタグの流出そのものを抑制できる。
【第３の実施例】
【００４５】
第１の実施例及び第２の実施例において、ＲＦＩＤタグへの電子情報の書き込みが正常終了しなかった場合の処理を、記録媒体をカッターで切断することで、本発明の目的が、より効果的に実施できる。
【００４６】
図１０は本実施例の印刷装置を説明するためのフローチャートである。
【００４７】
印刷枚数や用紙サイズ、ＩＣチップ２０３の種類、などの各種パラメータと、印刷を行う画像情報、およびＩＣチップ２０３に記録させる情報は、印刷を指示するコマンドと共にホストコンピュータ１００から印刷装置１０１に送信され、印刷画像情報はイメージバッファ（６０６Ｂｋ〜６０６Ｙ）に、電子情報はＲＡＭ６１２上に記録される（Ｓ１００１）。
【００４８】
受信した印刷コマンドの解析が終了したら、記録媒体の搬送を開始する（Ｓ１００２）。搬送開始後、記録媒体がＲＦＩＤ用通信アンテナ３０３の通信位置に搬送されると、ＲＦＩＤ用通信アンテナ３０３を介して内蔵されたＲＦＩＤタグ２０５に電子情報の書き込みが開始される（Ｓ１００３）。ＲＦＩＤタグへの電子情報の書き込み終了後、書き込みが正常に終了したかを判定し（Ｓ１００４）、正常終了しなかった場合には、排出部１１０付近に配したオートカッターユニット（不図示）により、記録媒体を切断する（Ｓ１００６）。また、ホストコンピュータ１００へ通知用のＲＡＭ６１２にタグの“無効”（Ｓ１００９）を設定する。
【００４９】
ＲＦＩＤタグへの電子情報の書込みが正常終了した場合は、記録媒体が印刷位置に達した時点で、各記録ヘッド（Ｂｋ、Ｃ、ＬＣ、Ｍ、ＬＭ、Ｙ）を順次駆動し、ＲＦＩＤタグ内蔵カード２０１上に画像が印刷される（Ｓ１００５）。この時、記録媒体表面への印刷が終了するまでの間に、用紙詰まり等のエラーが発生する事無く印刷が正常に終了したかを判定し（Ｓ１００７）、正常終了した場合には、タグの“有効”（Ｓ１００８）を、正常終了しなかった場合には、タグの“無効”（Ｓ１００９）をＲＡＭ６１２に設定する。
記録媒体を排紙部１１０に搬出したら、搬送を停止し（Ｓ１０１０）、タグの“有効”（Ｓ１００８）、又は“無効”（Ｓ１００９）をホストコンピュータ１００へ通知する。
【００５０】
ホストコンピュータは、データベースの有効／無効（７１１）に、タグの“有効”（Ｓ１００８）、又は“無効”（Ｓ１００９）を登録する（Ｓ１０１１）。
【００５１】
このように、第三の実施例では、印刷装置における表面印字及びＲＦＩＤタグへの書き込み結果を、ホストコンピュータに通知する手段を設けることで、ＲＦＩＤタグのチップへの書き込み失敗やＲＦＩＤタグの表面への印字が失敗した場合には、該当する番号のＲＦＩＤタグをデータベース上で無効登録することが出来る。これにより運用面において、不完全なＲＦＩＤタグが流出した場合でも、データベース上で有効・無効管理が可能となり、タグの不正使用や重複発行による現場の混乱等を回避できる。
【００５２】
また、ＥＦＩＤタグへの書き込み又は表面への印字が失敗した場合に、記録媒体をカッターで切断することで、不完全なＲＦＩＤタグの流出そのものを防止できる。
【その他の実施例】
【００５３】
本発明ではフルラインタイプのインクジェット方式の印刷装置に関する説明をしたが、インクジェット方式以外の記録ヘッドを持つプリンタ、すなわち感熱式、熱転写式、電子写真式等の他の記録方式、或いはモノクロの印刷装置にも適用することが可能である。
【００５４】
また、実施例２で説明した“視覚的に無効なタグであると判断できるパターン（第１１図）”は、これのみに限らない。例えば、縦線や横線の印字や、全面塗りつぶす、などが容易に想定できる。
【図面の簡単な説明】
【００５５】
【図１】本実施例におけるＲＦＩＤタグ記録機能付きインクジェット方式の印刷装置とホストコンピュータを接続した構成図である。
【図２】本実施例で使用するＲＦＩＤタグを内蔵した記録媒体の構成概略図である。
【図３】本実施例で使用する印刷装置の構成概略図である
【図４】本実施例で使用する印刷装置のインクジェット記録ヘッド及びＲＦＩＤ用通信アンテナの配列を模式的に説明する斜視図である。
【図５】本実施例における印刷装置の制御コマンド体系を示す図である。
【図６】本実施例における印刷装置の構成を示す電気的なブロック図である。
【図７】本実施例におけるデータベースで登録管理される情報を示した構成図である。
【図８】第１の実施例における印刷処理を説明するためのフローチャートである。
【図９】第２の実施例における印刷処理を説明するためのフローチャートである。
【図１０】第３の実施例における印刷処理を説明するためのフローチャートである。
【図１１】第２の実施例における“無効印字パターン”の代表例を示す。
【符号の説明】
【００５６】
１００      ホストコンピュータ
１０１      印刷装置
１０２      給紙トレイ
１０３      上部カバー
１０４      前カバー
１０５      電源スイッチ
１０６      操作パネル
１０７      プリンタケーブル
１０８      記録部
１０９      給紙部
１１０      排紙部
１１１      ＬＥＤ
１１２      ＬＣＤ
１１３      ボタン
２０１      ＲＦＩＤタグ内蔵カード
２０２      ループアンテナ
２０３      ＩＣチップ
２０４      フィルム
２０５      ＲＦＩＤタグ
３０１      タンク部
３０２      搬送部
３０３      通信アンテナ
３０４      ＴＯＦセンサ
３０５      ラインヘッド
３０６Ｂｋ  記録ヘッド（ブラック）
３０６Ｃ    記録ヘッド（シアン）
３０６ＬＣ  記録ヘッド（淡シアン）
３０６Ｍ    記録ヘッド（マゼンタ）
３０６ＬＭ  記録ヘッド（淡マゼンタ）
３０６Ｙ    記録ヘッド（イエロー）
５０１      用紙設定コマンド
５０２      フォーマットコマンド
５０３      文字データコマンド
５０４      イメージデータコマンド
５０５      ＲＦＩＤデータコマンド
５０６      ＩＣチップタイプ部
５０７      ＲＦ-ＩＤタグ取り付け位置部
５０８      ＲＦ-ＩＤデータ長部
５０９      ＲＦ-ＩＤデータ書込み部
５１０      ジョブ開始コマンド
５１１      コマンド送信例
６００      駆動回路
６０１      メインコントローラ
６０２      ＲＯＭ
６０３      ヘッド駆動回路
６０４      フィードモータ
６０４Ｄ    モータドライバ
６０５      リフトモータ
６０６Ｂｋ  ブラックイメージバッファ
６０６Ｃ    シアンイメージバッファ
６０６ＬＣ  淡シアンイメージバッファ
６０６Ｍ    マゼンタイメージバッファ
６０６ＬＭ  淡マゼンタイメージバッファ
６０６Ｙ    イエローイメージバッファ
６０７      ドライバコントローラ
６０８      ピックアップモータ
６０９      ＲＦＩＤ通信回路
６１０      ＲＦＩＤ用通信アンテナ
６１１      センサ回路
６１２      ＲＡＭ
７０１      ＲＦＩＤタグ最大書込み容量参照テーブル
８０１      印刷コマンド受信処理
８０２      記録媒体の給紙／搬送開始処理
８０３      ＲＦＩＤタグのＩＣチップ書込み処理
８０４      ＲＦＩＤタグのＩＣチップ書込み正常／異常確認処理
８０５      ＲＦＩＤタグの表面印字処理
８０６      ＲＦＩＤタグの表面印字正常／異常確認処理
８０７      ＲＦＩＤタグの有効フラグ設定処理
８０８      ＲＦＩＤタグの無効フラグ設定処理
８０９      搬送停止処理
８１０      データベースにＲＦＩＤタグの有効／無効登録処理
９０１      印刷コマンド受信処理
９０２      記録媒体の給紙／搬送開始処理
９０３      ＲＦＩＤタグのＩＣチップ書込み処理
９０４      ＲＦＩＤタグのＩＣチップ書込み正常／異常確認処理
９０５      ＲＦＩＤタグの表面印字処理
９０６      ＲＦＩＤタグの表面に無効印字処理
９０７      ＲＦＩＤタグの表面印字正常／異常確認処理
９０８      ＲＦＩＤタグの有効フラグ設定処理
９０９      ＲＦＩＤタグの無効フラグ設定処理
９１０      搬送停止処理
９１１      データベースにＲＦＩＤタグの有効／無効登録処理
１００１    印刷コマンド受信処理
１００２    記録媒体の給紙／搬送開始処理
１００３    ＲＦＩＤタグのＩＣチップ書込み処理
１００４    ＲＦＩＤタグのＩＣチップ書込み正常／異常確認処理
１００５    ＲＦＩＤタグの表面印字処理
１００６    ＲＦＩＤタグのカット（物理破壊）処理
１００７    ＲＦＩＤタグの表面印字正常／異常確認処理
１００８    ＲＦＩＤタグの有効フラグ設定処理
１００９    ＲＦＩＤタグの無効フラグ設定処理
１０１０    搬送停止処理
１０１１    データベースにＲＦＩＤタグの有効／無効登録処理
【図１】
2006035830.tif 000003
【図２】
2006035830.tif 000004
【図３】
2006035830.tif 000005
【図４】
2006035830.tif 000006
【図５】
2006035830.tif 000007
【図６】
2006035830.tif 000008
【図７】
2006035830.tif 000009
【図８】
2006035830.tif 000010
【図９】
2006035830.tif 000011
【図１０】
2006035830.tif 000012
【図１１】
2006035830.tif 000013